(57)【要約】【課題】排水工事と給湯器内部の排水構造を簡素化すると共に、凍結やゴミ等の異物つまりで機内水漏れが発生しない貯湯式給湯器の排水構造を得ることを目的とする。【解決手段】発熱体２１で加熱させたお湯を貯める貯湯タンク２０と、前記貯湯タンク２０に接続された逃し弁３２と、前記貯湯タンク２０から浴槽３４への風呂給湯管３５と、前記貯湯タンク２０側と前記浴槽３４側を縁切りする縁切り装置３６と、前記逃し弁３２から出る膨張水を排出する第１排出管３０と、前記縁切り装置３６から出る水を排出する第２排出管３７とを集約し１箇所から排出する排水口２５を有した排水タンク３４とを備え、前記排水タンク３４にはオーバーフローした水を排出する大気連通の開口部４４を設けた構成としてある。【選択図】図１
2005147412.tif 000002
【特許請求の範囲】
【請求項１】
供給された水を加熱し貯湯タンクに高温水として貯めた後、混合弁により所望の温度に調節して給湯や湯張り等に利用する貯湯式給湯器において、加熱あるいは利用過程で複数箇所から発生する余剰水を本体下部に設けた排水タンクに集約して排水するとともに、前記排水タンクは複数の余剰水受入口と排水口を有し、前記複数の余剰水受入口のうち少なくとも１つは大気開放状態とし、他の余剰水受入口は水密に接続するようにした貯湯式給湯器。
【請求項２】
熱源で加熱したお湯を貯める貯湯タンクと、該貯湯タンクに水を供給する給水管と、前記貯湯タンク内の高温水を取り出す出湯管と、該出湯管と給水管を給湯混合弁に接続して給湯に利用する給湯管と、前記出湯管と給水管を風呂混合弁に接続し縁切り装置を介して浴槽湯張りに利用する湯張り管と、前記貯湯タンク上部に接続した逃がし弁と、前記貯湯タンク内の圧力が所定値以上になると開放する缶体保護弁と、前記逃がし弁からの膨張水を取り出す第１排水管と、前記縁切り装置からの排水を取り出す第２排水管と、前記缶体保護弁からの排水を取り出す第３排水管と、前記各排水管からの排水を集約して外部に排出する排水タンクとを備え、前記排水タンクは、各排水管と水密に接続する接続部と、該接続部より大きな開口とした排水口と、大気に連通した開口部を有する構成とした貯湯式給湯器。
【請求項３】
第２排水管は、縁切り装置の空気取り入れ用の配管を排水タンクに接続する構成した請求項１記載の貯湯式給湯器。
【請求項４】
排水タンクに開口部とは別に、該開口部よりも上方に空気取入口を設けた請求項１記載の貯湯式給湯器。
【請求項５】
缶体保護弁は、貯湯タンクに直接取り付ける構成とした請求項１記載の貯湯式給湯器。
【発明の詳細な説明】
【技術分野】
【０００１】
本発明は、貯湯式給湯器の排水構成に関するものである。
【背景技術】
【０００２】
従来の電気温水器の排水構造は図４に示すように、水源から供給された水が給水管１に設けた減圧弁２によって一定圧力に減圧され貯湯タンク３内に供給される。供給された水は発熱体４によって加熱され一定温度に沸き上げられた後、給湯管５を通って給湯口６や注湯管７を通って浴槽８に出湯される。このとき、給湯管５、注湯管７には給水管１から分岐した給水管５Ａ、７Ａ通った水を混合する混合弁５Ｂ、混合弁７Ｂにより温度調節された湯が流れる。
【０００３】
また、貯湯タンク３の上部には、水を沸き上げるときに上昇するタンク内圧を一定に保持するため逃し弁９を設けた第１排出管が設けられており、この逃がし弁９が作動するとに排出される膨脹水は前記第１排出管１０から本体底板１１の排出穴１０Ａを通って外部に排出させ、床部１２に設けた排水溝１３に流し込むようになっている。
【０００４】
また、注湯管７には、浴槽８側の水圧が貯湯タンク３側の水圧よりも高い時、例えば浴槽を階上設置した場合等、浴槽８側から貯湯タンク３側へ浴槽水が逆流し貯湯タンク３へ流入するため、これを防止する目的で縁切り装置１４が設けられており、この縁切り装置１４からの排水は第２排出管１５を介して取り出され、上記同様に、本体底板１１の排出穴１０Ａを通って外部に排出させ、床部１２に設けた排水溝１３に流し込むようになっている。なお、前記第２排出管１５は、給水管１側の水圧が貯湯タンク３側よりも低い場合、貯湯タンク３内のお湯が給水管１側へ逆流しないように、給水管１側に大気圧を加える作用も兼ね備えている。
【０００５】
さらに、前記逃し弁９が故障状態で貯湯タンク３内の圧力が上昇したとき、タンクを保護する目的で缶体保護弁１６が設けられており、タンク内圧が規定圧力以上になると給水管１に接続した缶体保護弁１６が開放状態となって、第３排出管１７から本体底板１１の排出穴１０Ａを通って膨張水を外部に排出させ、床部１２に設けた排水溝１３に流し込むようになっていた。
【０００６】
このように、従来の貯湯式給湯器では貯湯タンク３からの余剰水は各排出管より直接排水溝１３に導き排水するという構成が一般的であった。
【０００７】
しかし近年、貯湯タンク底面に排水受けを設け、各排出管からの余剰水をこの排水受けに集め、排水溝に流すようにしたものがある（例えば、特許文献１参照）。
【特許文献１】特開平１０−３２５６１６号公報
【発明の開示】
【発明が解決しようとする課題】
【０００８】
しかしながら、上記従来の貯湯式給湯器の排水構造によれば、貯湯タンク３の余剰水を排出する第１排出管１０、第２排出管１５、第３排出管１７をそれぞれ単独で外部にある排出溝１３まで配管する必要があり、複数本の配管工事を伴うものであった。
【０００９】
また、排出溝１３が機器本体より離れた場所にある場合は、排出管も長くなって厳冬期においては凍結の恐れがあり、直接排水溝１３に配管するタイプでは排出管が凍結で詰まると、排出管内の圧力上昇により接続部で外れたり、排出管（ゴムホース）が破裂したりして機器内に余剰水が漏れだし、種々の不具合が発生する。この凍結による排出管の詰まり現象は、特許文献１に開示された排水受けに集約するタイプでも排水受けから溢れだし水漏れとして同様の不具合となる。
【００１０】
そこで、凍結が起こるような場所では凍結防止のためにヒーターを設ける必要があり、このヒータへの通電のために余分な消費電力の増加があった。
【００１１】
また、凍結の恐れのあるような時期においては、当該給湯器を使用しない時であっても凍結予防の為、機器本体へ通電するか、あるいは貯湯タンク内の水を全て排水する等、凍結防止のための備えが必要があった。
【００１２】
本発明は、前記従来の課題を解決するもので、排水工事と給湯器内部の排水構造を簡素化すると共に、凍結やゴミ等の詰まりによる水漏れを防止する貯湯式給湯器の排水構造を得ることを目的とする。
【課題を解決するための手段】
【００１３】
前記従来の課題を解決するために、本発明の貯湯式給湯器は、加熱あるいは利用過程で複数箇所から発生する余剰水を本体下部に設けた排水タンクに集約して排水するとともに、前記排水タンクは複数の余剰水受入口と排水口を有し、前記複数の余剰水受入口のうち少なくとも１つは大気開放状態とし、他の余剰水受入口は水密に接続するようにしたものである。
【００１４】
これによって、貯湯タンクから排出される複数箇所からの余剰水は排水タンクに集められ、排出口からまとめて排水溝に排水されるため、外部への配管工事が簡素化される。また、排水タンクの排出口と複数の余剰水受入口を対向して設け、その間に所定容量の水密空間を設けることで、排出口が凍結により詰まった場合でも大気開放の余剰水受入口を介して外部に余剰水を排出することができ、機器内に水が溢れ出すようなことはなくなる。
【発明の効果】
【００１５】
本発明の貯湯式給湯器は、複数箇所からの余剰水を集約タンクに集め、１箇所の排水口から排出するため配管工事が簡素化でき、かつ、排水口より上方に大気連通口を設けているため排水口が凍結等で詰まった場合でも機器内に水が溢れ出すことなく、大気連通口より排水することができる。
【発明を実施するための最良の形態】
【００１６】
第１の発明は、供給された水を加熱し貯湯タンクに高温水として貯めた後、混合弁により所望の温度に調節して給湯や湯張り等に利用する貯湯式給湯器において、加熱あるいは利用過程で複数箇所から発生する余剰水を本体下部に設けた排水タンクに集約して排水するとともに、前記排水タンクは複数の余剰水受入口と排水口を有し、前記複数の余剰水受入口のうち少なくとも１つは大気開放状態とし、他の余剰水受入口は水密に接続するようにしたことを特徴とするもので、貯湯タンクから排出される複数箇所からの余剰水は排水タンクに集められ、排出口からまとめて排水溝に排水されるため、外部への配管工事が簡素化される。また、排水タンクの排出口と複数の余剰水受入口を対向して設け、その間に所定容量の水密空間を設けることで、排出口が凍結により詰まった場合でも大気開放の余剰水受入口を介して外部に余剰水を排出することができ、機器内に水が溢れ出すようなことはなくなる。
【００１７】
第２の発明は、熱源で加熱したお湯を貯める貯湯タンクと、該貯湯タンクに水を供給する給水管と、前記貯湯タンク内の高温水を取り出す出湯管と、該出湯管と給水管を給湯混合弁に接続して給湯に利用する給湯管と、前記出湯管と給水管を風呂混合弁に接続し縁切り装置を介して浴槽湯張りに利用する湯張り管と、前記貯湯タンク上部に接続した逃がし弁と、前記貯湯タンク内の圧力が所定値以上になると開放する缶体保護弁と、前記逃がし弁からの膨張水を取り出す第１排水管と、前記縁切り装置からの排水を取り出す第２排水管と、前記缶体保護弁からの排水を取り出す第３排水管と、前記各排水管からの排水を集約して外部に排出する排水タンクとを備え、前記排水タンクは、各排水管と水密に接続する接続部と、該接続部より大きな開口とした排水口と、大気に連通した開口部を有する構成としたことを特徴とするもので、加熱時の膨張水及び湯張り用縁切り装置からの排水及び缶体保護弁からの排水を各排水管を介して排水タンクに接続し、排水口からまとめて排水溝に排出するようにしたもので、３箇所からの余剰水を１箇所から集中して排水することができ、配管構成の簡素化が図れるとともに、排水口が詰まった場合は大気に連通した開口部より排水ができ、凍結による水漏れ対策が簡単に実現できる。
【００１８】
第３の発明は、第２排水管は縁切り装置の空気取り入れ用の配管を排水タンクに接続する構成としたことを特徴とするもので、縁切り装置に常時大気圧を印加する空気取り入れ口を排水タンクに接続しておくことで、浴槽水逆流時の排水処理を兼用することができる。
【００１９】
第４の発明は、排水タンクに開口部とは別に、該開口部よりも上方に空気取入口を設けたことを特徴とするもので、排水口が凍結やゴミ等の異物つまりで排水性が悪化し、開口部から排水している状況であっても、大気連通の空気取り入れ口が開口部よりも上にあるので、縁切り装置への空気取り入れ用の配管が封水されることがなく、確実に空気を取り入れることができる。
【００２０】
第５の発明は、缶体保護弁は貯湯タンクに直接取り付ける構成としたことを特徴とするもので、缶体保護弁自体が凍結しないようにして缶体に異常圧力が印加された場合、確実にタンク内圧を低下させるようにしたものである。
【００２１】
以下、本発明の実施の形態について、図面を参照しながら説明する。なお、本実施の形態によって本発明が限定されるものではない。
【００２２】
（実施の形態１）
図１は、本発明の第１の実施の形態における貯湯式給湯器の縦断面図であり、図２は、同貯湯式給湯器の要部の縦断面図である。
【００２３】
図において、２０は水を貯める貯湯タンク、２１は貯湯タンク２０内の水を加熱するために貯湯タンク２０に取り付けた発熱体である。なお、本実施の形態では発熱体２０を貯湯タンク２０内に設けた構成としているが、この構成は、貯湯タンク２０の外部にヒートポンプユニットやヒータユニットで構成した加熱手段を設け、タンク下部より水を取り出し前記加熱手段で加熱した後、タンク上部に戻すという加熱サイクルを繰り返してタンク上部より高温水を積層状態で沸き上げていくという構成でも可能である。
【００２４】
２２は本体底面に設けた底板であり、２３は底板側面に排出穴部で、２４は排出穴２３から排水口部２５を下向きに出した排水タンクである。排水口部２５には排水溝４５に排水を導く外部排水管４６を接続している。
【００２５】
２６は貯湯タンク２０内に水を供給するための給水管で、上流端を水源に接続し下流端を貯湯タンク２０の下部に接続している。２７は貯湯タンク２０内に一定圧力で給水するために給水管２６に設けた減圧弁である。これら給水管２６、減圧弁２７によって給水手段を構成している。
【００２６】
２９は湯を沸き上げるときの膨張水を外部に排出する第１排水管で、給湯管２８から分岐し、その下流端は底板２２に設けた排水タンク２４の上部に設けたタンクからの余剰水受入口である第１の排水取り入れ口３０に接続している。３２は貯湯タンク２０内の圧力を一定以下に規制するために第１排水管２９に設けた逃し弁である。そして、第１排水管２９は膨張水排出手段を構成している。
【００２７】
２８は上流端を貯湯タンク２０の上部に接続した給湯管で、給湯管２８には給水管２６から分岐した給水管２６Ａを通った水を混合する給湯混合弁２６Ｂにより湯温調節している。これらにより給湯手段を構成している。３５は貯湯タンク２０の上部に接続した給湯管２８から分岐したお湯と、給水管２６から分岐し給水管３５Ａを通った水が風呂混合弁３５Ｂで混合され温度調節されたお湯を浴槽３４に給湯する風呂給湯管である。３６は浴槽３４内の汚水が貯湯タンク２０内に逆流しないようにする縁切り装置である。３７は縁切り装置３６に接続し、浴槽３４側の圧力が縁切り装置３６に一定以上加わると浴槽３５の汚水を外部に排出する第２排出管で、その下流端は排水タンク２４の上部に設けた第２の排水取り入れ口３９に接続している。そして、第２排水管３７は浴槽逆流水排出手段を構成している。また、貯湯タンク２０内の圧力が大気圧以下に下がると縁切り装置３６に接続した第２排水管３７から大気を吸い込み、浴槽３５の汚水が貯湯タンク２０に逆流しないようにしている。
【００２８】
４０は貯湯タンク２０内の圧力を逃し弁３２の設定圧力以上で一定以下に規制するために給水管２６に設けた缶体保護弁である。なお、本実施の形態では缶体保護弁４０を給水管２６に設けているが、これは貯湯タンク２０に直接取り付けてもよく、その方が凍結防止の観点からは望ましい。ただ、給水管２６に取り付けても検出可能であるため、本実施の形態ではこの取付位置としてある。
【００２９】
４１は一定圧以上になり、缶体保護弁４０が作動した時、貯湯タンク２０内のお湯を外部に排出する第３排出管であり、下流端は排水タンク２４の上部に設けた第３の排水取り入れ口４３に接続している。逃し弁３２と缶体保護弁４０により、貯湯タンク２０内の圧力上昇に対して、二重安全を確保している。
【００３０】
次に、排水タンク２４の構成を図２を用いて説明する。
【００３１】
４４は排水タンク２４上部にあけた大気連通の開口部であり、この開口部４４には下流側を外部に露出したオーバーフロー管４７が接続されている。これにより排水タンク２４の排水口部２５が凍結やゴミ等により詰まり、排水タンク２４内に排水が貯まっても、開口部４４からオーバーフロー管４７を通じて、外部に排水されるので、排水詰まりによる第１排水管２９や第２排水管３７、第３排水管４１の接続部の外れや破裂による機器内への漏水がなく、水漏れによる不具合の発生も解消できる。また、逃し弁３２からの排水は確実に排出できるので、貯湯タンク２０内の圧力を一定に保つことができる。
【００３２】
また、縁切り装置３６に接続している第２排水管３７は貯湯タンク２０が大気圧以下になった時に貯湯タンク２０内に空気を送り込む配管としての役目も兼ねているので、排水タンク２４に接続することにより、開口部４４を空気取り入れ口としても用いることができ、確実に貯湯タンク２０内に空気を送り込むことができ、浴槽３５内の汚水が貯湯タンク２０に逆流する心配がない。そして、電気給湯器の内部配管が簡素化できる。
【００３３】
また、缶体保護弁４０から排水された水も確実に排水タンクを通って外部に排水できるので、貯湯タンク２０内の圧力を一定以下にすることができる。
【００３４】
また、外部排水管４６の凍結による不具合がないので、凍結防止のためのヒーターが不要になり、消費電力を抑えることができる。
【００３５】
そして、第１排水管２９や第２排水管３７，第３排水管４１の３本の排水管が排水タンク２４にて集約され、排水口部２６の一箇所から外部に排出されるので、工事が簡素化できる。
【００３６】
そして、外部排水管４６の下流端４６Ａが排水溝４５の水により封水されていても、開口部４４により排水性は確保できるので工事の簡素化が図れる。
【００３７】
（実施例２）
図３は、本発明の第２の実施の形態における貯湯式給湯器の要部詳細図である。
【００３８】
図３において、４８は開口部４４よりも上部に設けた、大気連通の空気取り入れ口である。これにより排水タンク２４の排水口部２５が凍結やゴミ等により詰まり、開口部４４からオーバーフロー管４７を通じて、外部に排水されている間であっても、空気取り入れ口４８から、確実に貯湯タンク２０内に空気を送り込むことができ、浴槽３５内の汚水が貯湯タンク２０に逆流する心配がない。
【産業上の利用可能性】
【００３９】
以上のように、本発明に係る貯湯式給湯器は、複数箇所からの余剰水を集約タンクに集め１箇所の排水口から排出し、かつ、排水口より上方に大気連通口を設けることで、排水工事の簡素化を図り、排水口が凍結等で詰まった場合でも機器内に水が溢れ出すことがないようにしているため、複数箇所からの排水を一度に行うような排水構造を有する機器に適用できる。
【図面の簡単な説明】
【００４０】
【図１】本発明の実施の形態１における貯湯式給湯器の縦断面図
【図２】同貯湯式給湯器の要部縦断面図
【図３】本発明の実施の形態２における貯湯式給湯器の要部縦断面図
【図４】従来の電気温水器の縦断面図
【符号の説明】
【００４１】
２０  貯湯タンク
２１  発熱体（熱源）
２４  排水タンク
２５  排水口
２６  給水管
２６Ｂ  給湯混合弁
２８  給湯管
２９  第１排水管
３０  第１排水取り入れ口（接続部）
３２  逃し弁
３４  浴槽
３５  風呂給湯管（湯張り管）
３５Ｂ  風呂混合弁
３６  縁切り装置
３７  第２排出管
３９  第２排水取り入れ口（接続部）
４０  缶体保護弁
４１  第３排出管
４３  第３排水取り入れ口（接続部）
４４  開口部
４５  排水溝
【図１】
2005147412.tif 000003
【図２】
2005147412.tif 000004
【図３】
2005147412.tif 000005
【図４】
2005147412.tif 000006